(57)【特許請求の範囲】
【請求項１】
複数の入賞部品が遊技盤を前側から見た場合における遊技盤の前面の左右方向の中央側と外側とにお互いに離れて設けられ、
ワープ入口部およびワープ出口部を備えるとともに、
前記ワープ入口部に入った球を誘導路によって前記遊技盤の前面より後側に誘導し前記外側の入賞部品に向けて上下方向に誘導させた後に前記ワープ出口部から排出するようにワープ部品が遊技盤に設けられ、
誘導突起が前記ワープ部品における前記誘導路の延びる方向に対してよぎる方向に延びるとともに、前記ワープ入口部と前記ワープ出口部との間に位置して前記ワープ部品の前面に設けられ、当該誘導突起に基づいて前記中央側の入賞部品へ球を誘導する通路となるように設けられ、
前記ワープ部品よりも上方であって、前記遊技盤の前面から前側に突出する風車軸を中心として当該遊技盤の前面と平行する方向に回転する風車に絡みながら球を通過させるようにすることで、前記ワープ入口部または前記誘導突起へ振り分けられるように球を流下させ、前記中央側と前記外側の何れか一方の前記入賞部品に向けて流下するよう振り分けるようにしたことを特徴とするパチンコ遊技機の遊技盤。
【請求項２】
複数の入賞部品が遊技盤を前側から見た場合における遊技盤の前面の左右方向の中央側と外側とにお互いに離れて設けられ、
ワープ入口部およびワープ出口部を備えるとともに、
前記ワープ入口部に入った球を誘導路によって前記遊技盤の前面より後側に誘導し、前記中央側の入賞部品に向けて左右方向に誘導させた後に前記ワープ出口部から排出するようにワープ部品が遊技盤に設けられ、
誘導突起が前記ワープ部品における前記誘導路の延びる方向に対してよぎる方向に延びるとともに、前記ワープ入口部と前記ワープ出口部との間に位置して前記遊技盤の前面に設けられ、前記誘導路の延びる方向に対してよぎる上下方向に延長し、かつ左右に相対するよう間隔を空けて延びるとともに、当該間隔に入った球を前記外側の入賞部品の方向に誘導し、
前記ワープ部品よりも上方であって、前記遊技盤の前面から前側に突出する風車軸を中心として当該遊技盤の前面と平行する方向に回転する風車に絡みながら球を通過させるようにすることで、前記ワープ入口部または前記誘導突起へ振り分けられるように球を流下させ、前記中央側と前記外側の何れか一方の前記入賞部品に向けて流下するよう振り分けるようにしたことを特徴とするパチンコ遊技機の遊技盤。  
【発明の詳細な説明】
【技術分野】
【０００１】
本発明は、外側の入賞部品の方向に流下する球が当該外側の入賞部品に入る可能性と中央側の入賞部品に入る可能性とを生じるパチンコ遊技機の遊技盤に関する。
【背景技術】
【０００２】
図６は、特許文献１で開示されたパチンコ遊技機の遊技盤の一部の正面を示す。図６において、遊技盤７には、入賞部品５１；５２；５３、入賞部品５１乃至５３のそれぞれに対する命釘５４；５５；５６、左外側の入賞部品５１に対する袴釘群５７、右外側の入賞部品５３に対する袴釘群５８、中央側の入賞部品５２に対する振分釘群５９が設けられている。そして、矢印Ｘ２１で示すように袴釘群５７の間の隙間を落下した球が入賞部品５１に入る可能性が有り、矢印Ｘ２２で示すように袴釘群５８の間の隙間を落下した球が入賞部品５３に入る可能性があり、矢印Ｘ２３で示すように袴釘群５７の右側である中央側を落下した球や矢印Ｘ２３で示すように袴釘群５８の左側である中央側を落下した球が入賞部品５２に入る可能性があるものの、矢印Ｘ２５で示すように袴釘群５７の左側である外側を落下した球や矢印Ｘ２６で示すように袴釘群５８の右側である外側を落下した球が入賞部品５１乃至５３に入ることがなく、遊技性に欠けるという欠点がある。
【特許文献１】特開平１−４３２８１号公報
【発明の開示】
【発明が解決しようとする課題】
【０００３】
発明が解決しようとする問題点は、袴釘群の外側を落下した球が、当該袴釘群の真下に位置する左外側や右外側の入賞部品や中央側の入賞部品に入る可能性を生じないという点である。
【課題を解決するための手段】
【０００４】
本発明に係るパチンコ遊技機の遊技盤は、複数の入賞部品が遊技盤を前側から見た場合における遊技盤の前面の左右方向の中央側と外側とにお互いに離れて設けられ、ワープ入口部およびワープ出口部を備えるとともに、前記ワープ入口部に入った球を誘導路によって前記遊技盤の前面より後側に誘導し前記外側の入賞部品に向けて上下方向に誘導させた後に前記ワープ出口部から排出するようにワープ部品が遊技盤に設けられ、誘導突起が前記ワープ部品における前記誘導路の延びる方向に対してよぎる方向に延びるとともに、前記ワープ入口部と前記ワープ出口部との間に位置して前記ワープ部品の前面に設けられ、当該誘導突起に基づいて前記中央側の入賞部品へ球を誘導する通路となるように設けられ、前記ワープ部品よりも上方であって、前記遊技盤の前面から前側に突出する風車軸を中心として当該遊技盤の前面と平行する方向に回転する風車に絡みながら球を通過させるようにすることで、前記ワープ入口部または前記誘導突起へ振り分けられるように球を流下させ、前記中央側と前記外側の何れか一方の前記入賞部品に向けて流下するよう振り分けるようにしたことを最も主要な特徴とする。また、複数の入賞部品が遊技盤を前側から見た場合における遊技盤の前面の左右方向の中央側と外側とにお互いに離れて設けられ、ワープ入口部およびワープ出口部を備えるとともに、前記ワープ入口部に入った球を誘導路によって前記遊技盤の前面より後側に誘導し、前記中央側の入賞部品に向けて左右方向に誘導させた後に前記ワープ出口部から排出するようにワープ部品が遊技盤に設けられ、誘導突起が前記ワープ部品における前記誘導路の延びる方向に対してよぎる方向に延びるとともに、前記ワープ入口部と前記ワープ出口部との間に位置して前記遊技盤の前面に設けられ、前記誘導路の延びる方向に対してよぎる上下方向に延長し、かつ左右に相対するよう間隔を空けて延びるとともに、当該間隔に入った球を前記外側の入賞部品の方向に誘導し、前記ワープ部品よりも上方であって、前記遊技盤の前面から前側に突出する風車軸を中心として当該遊技盤の前面と平行する方向に回転する風車に絡みながら球を通過させるようにすることで、前記ワープ入口部または前記誘導突起へ振り分けられるように球を流下させ、前記中央側と前記外側の何れか一方の前記入賞部品に向けて流下するよう振り分けるようにしてもよい。
【発明の効果】
【０００５】
本発明に係るパチンコ遊技機の遊技盤は、遊技盤の前面を上方から外側の入賞部品の方向に流下する球がワープ部品による通路と誘導突起による通路とに分かれるので、遊技盤の前面を上方から外側の入賞部品の方向に流下する球が中央側の入賞部品に入る可能性と外側の入賞部品に入る可能性とを生じ、遊技性に富むという利点がある。遊技盤には、縦連釘群および斜連釘群がワープ部品よりも外側に離れて配置され、斜連釘群が球を外側から誘導突起の方向に誘導するように設けられれば、ワープ部品の外側を落下した球がワープ部品と縦連釘群との間から斜連釘群に接触して誘導突起を通過して中央側の入賞部品に入る可能性を生じるという利点がある。
【発明を実施するための最良の形態】
【０００６】
図１乃至図３は、発明を実施するための最良の形態である。図１は、遊技盤７の一部の正面を示す。図２は、図１をＡ−Ａ線に沿って切断した断面を示す。図３は、パチンコ遊技機の正面を示す。本明細書において、「前」、「後」、「左」、「右」、「上」、「下」の方向は、パチンコ遊技機を図３の状態に置いて図３の紙面の表側から見た場合に特定される方向である。
【０００７】
図１を参照し、遊技盤７における下可変入賞部品１６の左周辺について説明する。遊技盤７の前面には、始動部品１２；１３、下可変入賞部品１６、風車１８、ワープ部品１９、誘導突起２０、振分釘２５、命釘２６；２７；２８、縦連釘群２９、斜連釘群３０、振分釘３１、斜連釘群３２、横連釘群３３、振分釘群３４；３５が設けられる。
【０００８】
遊技盤７を前側から見た場合、始動部品１２が遊技盤７の前面の左右方向の外側に設けられた入賞部品を構成し、始動部品１３および下可変入賞部品１６が遊技盤７の前面の左右方向の中央側に設けられた入賞部品を構成し、始動部品１２と風車１８およびワープ部品１９が遊技盤７の前面に対し上下方向に延びる１本の直線上に配置される。この１本の直線は、図１における断面線Ａ−Ａを結ぶことによって想定される仮想線に相当する。
【０００９】
風車１８は、遊技盤７の前面を流下する球が風車１８に絡むと、遊技盤７の前面から前側に突出する風車軸１８ａを中心として遊技盤７の前面と平行する方向に回転する。風車軸１８ａの一部は、遊技盤７の前面から内部に固定されている。
【００１０】
ワープ部品１９は、ワープ入口部３６およびワープ出口部３７を備え、ワープ入口部３６に入った球を遊技盤７の前面よりも後側に誘導してワープ出口部３７から始動部品１２に向けて排出する。誘導突起２０は、ワープ部品１９の前面よりも前側に突出し、かつ、球を外側から中央側に誘導するように、ワープ部品１９の前面におけるワープ入口部３６とワープ出口部３７との間の部分に設けられる。
【００１１】
振分釘２５は、命釘２６における２本の釘の間の隙間に入る球を調整するための左右に相対峙する２本の釘により構成される。命釘２６は、ワープ入口部３６に入る球を調整するための左右に相対峙する２本の釘により構成される。命釘２７は、始動部品１２に入る球を調整するための左右に相対峙する２本の釘により構成される。命釘２８は、始動部品１３に入る球を調整するための左右に相対峙する２本の釘により構成される。
【００１２】
縦連釘群２９は、風車１８よりも左外側で上から下に直線的に並ぶ複数の釘により構成される。斜連釘群３０は、縦連釘群２９よりも下方において、左外側から中央側に下り勾配となるように並ぶ複数の釘により構成される。振分釘３１は、誘導突起２０よりも上部に配置される。
【００１３】
斜連釘群３２は、誘導突起２０よりも下部に配置され、中央側から左外側に下り勾配となるように並ぶ複数の釘により構成される。横連釘群３３は、誘導突起２０よりも中央側に配置され、誘導突起２０から中央側に下り勾配となるように並ぶ複数の釘により構成される。振分釘群３４は、命釘２８の周囲に点在する多数の釘により構成される。振分釘群３５は、下可変入賞部品１６の開閉体２４の周囲に点在する多数の釘により構成される。
【００１４】
開閉体２４が点線で示すように閉じることによって下可変入賞部品１６の球入口１６ａを閉鎖するので、球が遊技盤７の前面から球入口１６ａに入らなくなる。開閉体２４が仮想線で示すように開くことによって球入口１６ａを開放するので、球が遊技盤７の前面から球入口１６ａに入る可能性がある。
【００１５】
風車１８と振分釘２５との間の隙間、誘導突起２０とワープ入口部３６との間の隙間、開閉体２４と振分釘群３５との間の隙間、振分釘２５における２本の釘の間の隙間、振分釘２５と命釘２６の間の隙間、振分釘２５と縦連釘群２９との間の隙間、命釘２６乃至２７における２本の釘の間の隙間、命釘２８と振分釘群３４との間の隙間、縦連釘群２９と斜連釘群３０の間の隙間、斜連釘群３０と振分釘３１との間の隙間、振分釘３１とワープ入口部３６との間の隙間、振分釘群３４；３５における多数の釘どうしの間の隙間は、１個の球の直径よりも大きく、１個の球の直径の２倍よりも小さい。
【００１６】
縦連釘群２９、斜連釘群３０、斜連釘群３２、横連釘群３３のそれぞれにおける複数の釘どうしの間の隙間は、１個の球の直径よりも小さい。
【００１７】
よって、風車１８の左外側を通過した球が矢印Ｘ１で示すように振分釘２５と縦連釘群２９との間の隙間から命釘２６と縦連釘群２９との間の隙間を流下して斜連釘群３０に接触して矢印Ｘ２で示すように振分釘３１の方向に曲がる。また、球が矢印Ｘ３で示すように縦連釘群２９の左外側から縦連釘群２９と斜連釘群３０との間の隙間を通過した後に斜連釘群３０に沿って矢印Ｘ２で示すように振分釘３１の方向に流下する。
【００１８】
矢印Ｘ２で示すように振分釘３１の方向に向かった球は、矢印Ｘ４で示すように斜連釘群３０と振分釘３１との間の隙間を通過するか、または、矢印Ｘ５で示すように誘導突起２０および横連釘群３３を通過して始動部品１３および下可変入賞部品１６に向かう。横連釘群３３から始動部品１３の方向に向かった球は、振分釘群３４で振り分けられながら始動部品１３に入ることなく下可変入賞部品１６の開閉体２４の方向に流れるか、または、振分釘群３４で振り分けられながら命釘２８における２本の釘の間の隙間を通過して始動部品１３に入る。横連釘群３３から下可変入賞部品１６の方向に流れた球は、振分釘群３５で振り分けられながら下可変入賞部品１６の開閉体２４の方向に流れる。
【００１９】
矢印Ｘ６または矢印Ｘ７で示すように風車１８に絡みながら通過した球が、左側の振分釘２５から左外側に振り分けられるか、または、右側の振分釘２５から中央側に振り分けられるか、振分釘２５における２本の釘の間の隙間を通過後に左側の命釘２６から左外側に振り分けられるか、または、振分釘２５における２本の釘の間の隙間を通過後に右側の命釘２６から中央側に振り分けられるか、または、振分釘２５における２本の釘の間の隙間を通過後に命釘２６における２本の釘の間の隙間を通過してワープ入口部３６に入る。
【００２０】
ワープ入口部３６に入った球は、誘導突起２０よりも後方のワープ通路４０を通過してワープ出口部３７から始動部品１２の方向に流れる。ワープ出口部３７から始動部品１２の方向に流れた球は、命釘２７における２本の釘の間の隙間を通過して始動部品１２に入るか、または、命釘２７における２本の釘の間の隙間を通過することなく始動部品１２の左外側または中央側を落下する。
【００２１】
要するに、遊技盤７を前側から見た場合、始動部品１２が遊技盤７の前面の左右方向の外側に設けられ、始動部品１３または下可変入賞部品１６が遊技盤７の前面の左右方向の中央側に設けられ、ワープ部品１９が外側の入賞部品としての始動部品１２よりも上方に離れかつワープ入口部３６に入った球を遊技盤７の前面より後側に誘導されてワープ出口部３７から外側の始動部品１２に向けて排出するように遊技盤７の前面に設けられ、誘導突起２０が球を外側の始動部品１２の外側から中央側の入賞部品としての始動部品１３または中央側の入賞部品としての下可変入賞部品１６の方向に誘導するようにワープ入口部３６とワープ出口部３７との間の部分に設けられている。
【００２２】
このため、遊技盤７の前面を上方から外側の始動部品１２の方向に流下する球がワープ部品１９による通路と誘導突起２０による通路とに分かれる。そして、ワープ部品１９で誘導された球は外側の始動部品１２に入る可能性が有り、誘導突起２０で誘導された球は中央側の始動部品１３または中央側の下可変入賞部品１６に入る可能性が有る。つまり、遊技盤７の前面を上方から外側の始動部品１２の方向に流下する球が、当該外側の始動部品１２に入る可能性と中央側の始動部品１３または中央側の下可変入賞部品１６に入る可能性とが生じるという利点がある。
【００２３】
遊技盤７には、縦連釘群２９および斜連釘群３０がワープ部品１９よりも左外側に離れて配置され、斜連釘群３０が球を左外側から誘導突起２０の方向に誘導するように設けられているので、ワープ部品１９の左外側を落下した球がワープ部品１９と縦連釘群２９との間から斜連釘群３０に接触して誘導突起２０を通過して始動部品１３または下可変入賞部品１６に入る可能性を生じる。
【００２４】
縦連釘群２９と斜連釘群３０との間に図外の釘を設けてもよいが、縦連釘群２９と斜連釘群３０との間には球の通過し得る隙間が形成されているので、矢印Ｘ３で示すように球が縦連釘群２９の左外側から縦連釘群２９と斜連釘群３０との間の隙間を通過して誘導突起２０を通過して始動部品１３または下可変入賞部品１６に入る可能性を生じる。
【００２５】
遊技盤７には振分釘３１が誘導突起２０の端部よりも上部に配置されて設けられ、かつ、斜連釘群３０と振分釘３１との間には球の通過し得る隙間が形成されているので、振分釘３１の遊技盤７から前側に突出する頭部が図示位置から右側または左側または上側または下側に移動するように調整されることによって、球が矢印Ｘ４で示す方向または矢印Ｘ５で示す方向の何れか一方に流れやすくなる。例えば、振分釘３１の頭部が図示位置から右側または上側に調整され、斜連釘群３０と振分釘３１との間の隙間が広くなった場合、球は矢印Ｘ５で示す方向よりも矢印Ｘ４で示す方向に流れやすくなる。逆に、振分釘３１の頭部が図示位置から左側または下側に調整され、斜連釘群３０と振分釘３１との間の隙間が狭くなった場合、球は矢印Ｘ４で示す方向よりも矢印Ｘ５で示す方向に流れやすくなるという利点がある。
【００２６】
図２を参照し、ワープ部品１９の内部構造について説明する。ワープ部品１９の後部が遊技盤７に形成された部品逃避孔３８に遊技盤７の前から挿入され、ワープ部品１９の取付部３９が遊技盤７の前面に接触されて部品逃避孔３８を覆い隠し、図外のねじ釘などの固着具が取付部３９に形成された貫通孔から遊技盤７に締結されることによって、ワープ部品１９が遊技盤７に固定される。ワープ部品１９における部品逃避孔３８に取り込まれた後部には、ワープ通路４０が設けられる。ワープ通路４０は、ワープ入口部３６から入った球をワープ出口部３７に誘導する。ワープ部品１９におけるワープ通路４０の前面を覆う前壁４１およびワープ入口部３６は、光透過性合成樹脂により構成され、ワープ通路４０を通る球をワープ部品１９の前から見えるようになっている。誘導突起２０は、ワープ部品１９の前壁４１から前側に突出する。符号Ｐは、球を示す。遊技盤７の裏面には、球寄せ部材４２が固定される。球寄せ部材４２は、始動部品１２乃至１４や上可変入賞部品１５および下可変入賞部品１６から遊技盤７の後に排出された球を下方に誘導して排出する通路を遊技盤７の後に構成する。始動部品１３；１４や上可変入賞部品１５および下可変入賞部品１６は、図３参照。
【００２７】
図３を参照し、パチンコ遊技機について説明する。パチンコ遊技機の遊技機枠１は、遊技盤７を交換可能に入れる容器として、遊技機設置構造体に設置される。遊技機設置構造体は、遊技店のパチンコ遊技機を設置する島とも呼ばれる設備である。遊技機枠１の前部には、窓２、前面パネル３、受皿４、発射操作機構５が設けられる。遊技機枠１の内部には、発射機構６が設けられる。
【００２８】
遊技盤７の前面には、ガイドレール８、発射通路９、アウト口１０、一般入賞部品１１、始動部品１２；１３；１４、上可変入賞部品１５、下可変入賞部品１６、遊技釘１７、風車１８、ワープ部品１９、誘導突起２０が設けられる。上可変入賞部品１５は、開閉体２１、外れ領域２２、当たり領域２３を備える。
【００２９】
遊技盤７が遊技機枠１の内部に装着された場合、遊技領域Ｈが発射機構６から発射された球の飛び交う領域として前面パネル３と遊技盤７の前面との間におけるガイドレール８で囲まれた部分として形成され、ガイドレール８、発射通路９、アウト口１０、一般入賞部品１１、始動部品１２乃至１４、上可変入賞部品１５、下可変入賞部品１６、遊技釘１７、風車１８、ワープ部品１９、誘導突起２０が、遊技機枠１の前側から窓２および前面パネル３を通して視認可能になる。
【００３０】
遊技盤７が遊技機枠１に装着され、遊技者が受皿４にパチンコ球と呼ばれる球を入れ、遊技者が発射操作機構５を操作すると、発射機構６が発射操作機構５の操作量に応じた発射力で駆動し、発射機構６が受皿４から遊技機枠１の内部に取り込まれた球を１個ずつ発射通路９に向けて発射する。発射通路９に発射された球は、発射通路９から遊技領域Ｈの上部に到達する。
【００３１】
遊技領域Ｈに到達した球は、遊技領域Ｈを流下する過程において、一般入賞部品１１や始動部品１２；１３；１４、上可変入賞部品１５、下可変入賞部品１６の何れか１つに入って遊技盤７の後側に排出される。一般入賞部品１１や始動部品１２；１３；１４、上可変入賞部品１５、下可変入賞部品１６のいずれにも入らないで、遊技領域Ｈの最下部に到達した球は、アウト口１０から遊技盤７の後側に排出される。
【００３２】
パチンコ遊技の一例について説明すると、開閉体２１が閉じている状態において、遊技領域Ｈを流下する球が、一般入賞部品１１や始動部品１２乃至１４の何れか１つに入賞するごとに、賞球としての球が図外の球払出機構から受皿４に払い出される。始動部品１２乃至１４の何れか１つに入賞すると、開閉体２１が開く。開閉体２１が開いた状態において、遊技領域Ｈを流下する球が、上可変入賞部品１５に入賞すると、入賞するごとに、賞球としての球が図外の球払出機構から受皿４に払い出される。
【００３３】
上可変入賞部品１５に入賞した球が外れ領域２２に入ると、外れ領域２２に入った球は遊技盤７の後側に排出される。上可変入賞部品１５に入賞した球が当たり領域２３に入ると、当たり領域２３に入った球が遊技盤７の後側に排出され、かつ、開閉体２４の開閉する大当たり遊技が始まる。
【００３４】
大当たり遊技は、開閉体２４の開閉の開始からの経過時間がラウンド規定時間に到達するかまたは下可変入賞部品１６への球の入賞個数が入賞規定個数に到達するかのいずれか１つが成立したら開閉体２４を閉じて１ラウンドを終了し、開閉体２４の開閉を再開し、最大ラウンド数まで繰り返される遊技形態である。ラウンド規定時間、入賞規定個数、最大ラウンド数は、制御装置のＲＯＭに設定される。
【産業上の利用可能性】
【００３５】
図４および図５は、発明を実施するための異なる形態である。図４は、遊技盤７の一部の正面を示す。図５は、図４をＢ−Ｂ線に沿って切断した断面を示す。図４において、ワープ部品１９および誘導突起２０が、図１のワープ部品１９および誘導突起２０と異なる。つまり、図４において、ワープ部品１９は、ワープ入口部３６に入った球を遊技盤７の前面よりも後側に誘導してワープ出口部３７から中央側の始動部品１３または中央側の下可変入賞部品１６に向けて排出する。誘導突起２０は、ワープ部品１９の前面から前側に突出し、かつ、球を始動部品１２に誘導する左右に相対峙する２本の部材により、ワープ部品１９の前面におけるワープ入口部３６とワープ出口部３７との間の部分に設けられる。誘導突起２０における左右に相対峙する２本の部材は、上方から下方に行くに従って徐々に左右の間隔が大きくなるような袴形状を構成する。
【００３６】
遊技盤７には、命釘４４、縦連釘群４５、振分釘群４６、振分釘４７、閉鎖釘群４８、振分釘４９が設けられる。命釘４４は、袴形状を構成する誘導突起２０の間の隙間に入る球を調整するための左右に相対峙する２本の釘により構成される。縦連釘群４５は、風車１８の外側を流下した球を直線的に誘導するように並ぶ複数の釘により構成される。振分釘群４６は、命釘４４における２本の釘の間の隙間に入る球を調整するための左右に相対峙する２本の釘により構成される。振分釘４７は、命釘２６と振分釘群４６との間に設けられる。閉鎖釘群４８は、命釘２６における２本の釘の間の隙間に入った球をワープ入口部３６に誘導するように設けられた複数の釘により構成される。振分釘４９は、命釘２７における２本の釘の間の隙間に入る球を調整するための左右に相対峙する２本の釘により構成される。
【００３７】
よって、風車１８の左外側を通過した球は、矢印Ｘ８で示すように縦連釘群４５と振分釘４７との間の隙間から命釘２６における２本の釘の間の隙間を経由してワープ入口部３６に入るか、または、矢印Ｘ９で示すように縦連釘群４５と振分釘４７との間の隙間から命釘２６と振分釘４７との間の隙間および左側の誘導突起２０とワープ入口部３６との間の隙間を経由して始動部品１２の左外側に向かって落下するか、または、矢印Ｘ１０で示すように振分釘群４６と振分釘４７との間の隙間から命釘２６と命釘４４との間の隙間および左側の誘導突起２０とワープ入口部３６との間の隙間を始動部品１２の左外側に向かって落下するか、または、矢印Ｘ１１；Ｘ１２；Ｘ１３で示すように風車１８に絡みながら振分釘群４６における２本の釘の間の隙間、命釘４４における２本の釘の間の隙間、２本の誘導突起２０の間の隙間、振分釘４９における２本の釘の間の隙間、命釘２７における２本の釘の間の隙間を経由して始動部品１２に入る可能性が有る。
【００３８】
また、２本の誘導突起２０の間の隙間を経由した球が、矢印Ｘ１４で示すように左側の振分釘４９で左外側に振り分けられるか、または、矢印Ｘ１５で示すように右側の振分釘４９で中央側に振り分けられる。矢印Ｘ１４で示すように左側の振分釘４９で左外側に振り分けられた球は、外側の始動部品１２に入ることなく落下する。矢印Ｘ１５で示すように右側の振分釘４９で中央側に振り分けられた球は、中央側の下可変入賞部品１６の方向に流れる。ワープ入口部３６に入った球は、誘導突起２０よりも後方のワープ通路４０を通過してワープ出口部３７から中央側の始動部品１３および中央側の下可変入賞部品１６の方向に流れる。
【００３９】
図５において、ワープ部品１９の後部が遊技盤７に形成された部品逃避孔３８に遊技盤７の前方から挿入され、ワープ部品１９の取付部３９が遊技盤７の前面に接触されて部品逃避孔３８を覆い隠し、図外のねじ釘などの固着具が取付部３９に形成された貫通孔から遊技盤７に締結されることによって、ワープ部品１９が遊技盤７に固定される。ワープ部品１９における部品逃避孔３８に取り込まれた後部には、ワープ通路４０が設けられる。ワープ通路４０は、ワープ入口部３６から入った球をワープ出口部３７に誘導する。ワープ部品１９におけるワープ通路４０の前面を覆う前壁４１およびワープ入口部３６は、光透過性合成樹脂により構成され、ワープ通路４０を通る球をワープ部品１９の前から見えるようになっている。誘導突起２０は、前壁４１から前側に突出する。符号Ｐは、球を示す。
【００４０】
図１における振分釘２５、命釘２６乃至２８、縦連釘群２９、斜連釘群３０、振分釘３１、斜連釘群３２、横連釘群３３、振分釘群３４、振分釘群３５が、図３における右外側の始動部品１４、風車１８、ワープ部品１９、誘導突起２０に対して設けられてもよい。その場合、前述した図１の説明における左外側を右外側と読み替えることによって、容易に理解できるであろう。
【００４１】
図２または図５において、ワープ部品１９の前壁４１およびワープ入口部３６を光透過性合成樹脂以外の合成樹脂により構成し、前壁４１およびワープ入口部３６に、前後方向への複数の貫通孔を球の流れる方向に分けて設けたり、または前後方向に貫通するスリットを球の流れる方向に連続する長孔として設けたりすることによって、ワープ通路４０を通る球をワープ部品１９の前から見えるようにしてもよい。
【００４２】
図３において、ガイドレール８は、遊技機枠１または遊技盤７に設けられる。誘導突起２０は、ワープ部品１９と別体に形成して遊技盤７に取り付けてもよい。始動部品１２乃至１４は、球が入ることによって賞球だけを払い出す入賞部品でもよく、開閉体が有る形態でもよい。下可変入賞部品１６は、開閉体２４の無い入賞部品でもよい。
【図面の簡単な説明】
【００４３】
【図１】遊技盤の一部の正面図（最良の形態）。
【図２】図１のＡ−Ａ線断面図（最良の形態）。
【図３】パチンコ遊技機の正面図（最良の形態）。
【図４】遊技盤の一部の正面図（異なる形態）。
【図５】図４のＢ−Ｂ線断面図（異なる形態）。
【図６】遊技盤の一部の正面図（従来）。
【符号の説明】
【００４４】
１は遊技機枠、２は窓、３は前面パネル、４は受皿、５は発射操作機構、６は発射機構、７は遊技盤、８はガイドレール、９は発射通路、１０はアウト口、１１は一般入賞部品、１２乃至１４は始動部品、１５は上可変入賞部品、１６は下可変入賞部品、１６ａは球入口、１７は遊技釘、１８は風車、１８ａは風車軸、１９はワープ部品、２０は誘導突起、２１は開閉体、２２は外れ領域、２３は当たり領域、２４は開閉体、２５は振分釘、２６乃至２８は命釘、２９は縦連釘群、３０は斜連釘群、３１は振分釘、３２は斜連釘群、３３は横連釘群、３４；３５は振分釘群、３６はワープ入口部、３７はワープ出口部、３８は部品逃避孔、３９は取付部、４０はワープ通路、４１は前壁、４２は球寄せ部材、４３は欠番、４４は命釘、４５は縦連釘群、４６は振分釘群、４７は振分釘、４８は閉鎖釘群、４９は振分釘、５０は欠番、５１乃至５３は入賞部品、５４乃至５６は命釘、５７；５８は袴釘群、５９は振分釘群、Ｈは遊技領域。
【図１】
0005224732.tif 000002
【図２】
0005224732.tif 000003
【図３】
0005224732.tif 000004
【図４】
0005224732.tif 000005
【図５】
0005224732.tif 000006
【図６】
0005224732.tif 000007